(57)【要約】【課題】家畜の肥育を早めて増体を促進し、更に、育雛率及び飼料要求率等を改善することが出来る飼料を提供すること。【解決手段】以下に示す特性の少なくとも一つを有することを特徴とする家畜用飼料：（１）飼料１ｋｇ当たり、マンガンを１２０ｍｇ以上含有すること；（２）飼料１ｋｇ当たり、パントテン酸を３０ｍｇ以上含有すること；（３）大豆粕成分の実質的に全てに脱皮大豆粕を使用すること；（４）粗繊維を２．５重量％以下、粗脂肪を６．５重量％以下、及び、可溶性無窒素物を５４重量％以上含むこと；（５）アルファルファミールを０．５〜１重量％含有すること；（６）ヘム鉄を鉄成分換算で２０ｍｇ以上含有すること；及び（７）比重が７１０以上であること。【選択図】　　なし【特許請求の範囲】
【請求項１】
以下に示す特性の少なくとも一つを有することを特徴とする家畜用飼料：
（１）飼料１ｋｇ当たり、マンガンを１２０ｍｇ以上含有すること；
（２）飼料１ｋｇ当たり、パントテン酸を３０ｍｇ以上含有すること；
（３）大豆粕成分の実質的に全てに脱皮大豆粕を使用すること；
（４）粗繊維を２．５重量％以下、粗脂肪を６．５重量％以下、及び、可溶性無窒素物を５４重量％以上含むこと；
（５）アルファルファミールを０．５〜１重量％含有すること；
（６）ヘム鉄を鉄成分換算で２０ｍｇ以上含有すること；及び
（７）比重が７１０以上であること。
【請求項２】
以下に示す特性の少なくとも一つを有することを特徴とする家畜用飼料：
（１）飼料１ｋｇ当たり、マンガンを１４０ｍｇ以上含有すること；
（２）飼料１ｋｇ当たり、パントテン酸を４０ｍｇ以上含有すること；
（３）大豆粕成分の実質的に全てに脱皮大豆粕を使用すること；
（４）粗繊維を２．３重量％以下、粗脂肪を６．４重量％以下、及び、可溶性無窒素物を５４重量％以上含むこと；
（５）アルファルファミールを約０．８重量％含有すること；
（６）ヘム鉄を鉄成分換算で２８ｍｇ以上含有すること；及び
（７）比重が７４０以上であること。
【請求項３】
特性（１）、（２）及び（３）を有することを特徴とする、請求項１に記載の家畜用飼料。
【請求項４】
特性（１）、（２）及び（４）を有することを特徴とする、請求項１に記載の家畜用飼料。
【請求項５】
特性（１）、（２）及び（７）を有することを特徴とする、請求項１に記載の家畜用飼料。
【請求項６】
特性（１）〜（７）の全てを有することを特徴とする、請求項１に記載の家畜用飼料。
【請求項７】
特性（１）、（２）及び（３）を有することを特徴とする、請求項２に記載の家畜用飼料。
【請求項８】
特性（１）、（２）及び（４）を有することを特徴とする、請求項２に記載の家畜用飼料。
【請求項９】
特性（１）、（２）及び（７）を有することを特徴とする、請求項２に記載の家畜用飼料。
【請求項１０】
特性（１）〜（７）の全てを有することを特徴とする、請求項２に記載の家畜用飼料。
【請求項１１】
鶏用であることを特徴とする、請求項１〜１０のいずれかに記載の家畜用飼料。
【請求項１２】
ブロイラー用であることを特徴とする、請求項１〜１０のいずれかに記載の家畜用飼料。
【発明の詳細な説明】
【０００１】
【発明の属する技術分野】
本発明は、新規な家畜飼料、特に、肉用鶏（ブロイラー）及び卵用鶏等の家禽用の飼料に関する。
【０００２】
【従来の技術】
ブロイラーとは、元来は米国における食鶏規格の一つであるが、現在では、鶏肉を食材として利用する為に食肉専用種として育種改良されてきた鶏の総称である。現在、日本で生産されているブロイラーは、チャンキー種が７０％位及びコブ種が３０％位を占めており、二大種といわれている。
【０００３】
又、現在、日本では、年間約５億８千万羽から６億（１７億ｋｇ）　羽のブロイラーが生産されている。近年、輸入物（外国製品）が価格の安さに押されて、ピーク時の１０％〜１５％生産減であり、したがって国内生産について各生産グループとも、コスト削減に必死である。特に、餌代は経費の約５０％を占めており、わずかな価格差が収入に大きく響くものである。
【０００４】
鳥は元来、空中を飛ぶことが出来る構造を有していたが、ブロイラー等の鶏は、卵や肉を採る様に育種改良されたきた為に飛ぶことができず、移動するには２本足で重い体重を支えて歩行しなければならないことなり、異常にモモの筋肉が発達したものである。体全体の筋肉を１０とした場合、ムネ肉が４３％、モモ肉５７％位と言われている。
【０００５】
鶏の雛は卵から発生後３６時間で餌をついばむことが出来る。これを餌付けという。そして、鶏において一週間は人間の６ヶ月に値するものである。したがって、餌付け後８週間で４才くらいに値する。現在のブロイラー生産の平均的な例では、普通のヒト成人が５０ｋｇと仮定した場合、餌付け後８週間の時点で、ヒト体重に換算して１００ｋｇに相当する体重に達し、これは既に肥満状態と言える。
【０００６】
一般的に、家畜、特にブロイラー等の肉用家畜の飼養管理にあたっては、その増体に適した飼料の給与が大切である。
【０００７】
一般的な餌は、日本飼養標準・家禽（農林水産省農林水産技術会議事務局編：社団法人中央畜産会発行（１９９７年版））にも掲載されている日本標準飼料成分表に基づき設計、配合されたものである。
【０００８】
飼料の一般的な内容については、主原料、副原料などに加え、ビタミン、ミネラルなどの、微量成分を配合する。主な成分としては、タンパク（アミノ酸）１３種類、粗脂肪（飽和脂肪酸、及び不飽和脂肪酸）、繊維、及び可溶無窒素物（デンプン質）がある。デンプン質には、βデンプンとαデンプンがある。ビタミン十数種類、ミネラルとしてカルシウム、リンなど十数種類ある。
【０００９】
尚、特許文献に記載された従来技術として以下のものがある。
特許文献１には、発酵処理により少糖類を除去した大豆粕を有することを特徴とする、特に子牛及び子豚用の畜産用飼料が記載されている。
独鈷文献２には、ガラクトオリゴ糖を含有することを特徴とする鶏用飼料が記載されている。
特許文献３には、乳糖を含有することを特徴とする鶏用飼料が記載されている。
特許文献４には、魚介類を蛋白質分解酵素により処理して得られる沈殿区分からなる飼料が記載されている。
【００１０】
【特許文献１】
特開平６−１６５６４５号公報
【特許文献２】
特開平６−１７８６５４号公報
【特許文献３】
特開平６−１７８６５５号公報
【特許文献４】
特開２０００−４８０２号公報
【００１１】
【発明が解決しようとする課題】
従来の飼料では、ブロイラーの雛を早く肥育するために、タンパクと代謝エネルギー（カロリー）を重視した配合設計になっている。しかしながら、その結果、既に述べたように肥満状態になるために、現在の標準マニュアルにおける体重表程度の増体でも、心臓の能力が追いつかずに心臓が突然止まり、俗に言われる「ポックリ病」で急死することがある。増体が早まれば早まるほど、急死の死亡率が高まり、時には、３％以上急死することがある為、これについては、獣医師はじめ、ブロイラー業界における大きな問題の一つになっている。これでは、早く成長させるには、限界があり、すでに頂点に達しているかと思われる。
【００１２】
更に、標準表に沿った成分で肥育した場合でも、時には良く育ったブロイラーの中に、体重２ｋｇ頃から自分の体重に耐えきれず、腰の関節が開き、俗に言う「がに股」になってしまい、後に歩行困難となる。これを「脚弱」というが、このような状態になってしまうと、次第に餌や水の摂取が困難となり、死亡するか、生存していても、商品化にはならない。
【００１３】
又、標準マニュアル（例えば、株式会社日本チャンキーなどの飼料会社が編集しているブロイラー管理マニュアル）よりも増体を早まった場合には、既に述べた「ポックリ病」で急死する鶏が多くなり、また骨格についても、軟弱な骨格のまま増体し、腰や膝の関節が弱く、歩行困難となり死に至る。
【００１４】
従って、特にブロイラーの場合はこのような肥満状態になる為に、まず骨格、関節、心臓などを強固にしなければならない。
【００１５】
この為の一般的予防策として、カリウムを多めに摂取すると良い、とされているが、未だ証明されてはいない。
【００１６】
従って、これらの問題点を克服しない限り、ブロイラーの成長促進を今の標準体重表より高度にすることはかなり難しい。たとえ増体を高められたとしても、急死による死鳥が数％もあっては、経済的に採算がとれない。
【００１７】
【課題を解決するための手段】
本発明は以上の問題点を解決し、家畜、特にブロイラー等の鶏の雛の肥育を早めて増体を促進し、更に、育雛率及び飼料要求率等を改善することが出来る飼料を提供することを目的とする。
【００１８】
本発明の家畜用飼料は以下に示す特性の少なくとも一つを有することを特徴とする。
（１）飼料１ｋｇ当たり、マンガンを１２０ｍｇ以上、好ましくは１４０ｍｇ以上含有すること；
（２）飼料１ｋｇ当たり、パントテン酸を３０ｍｇ以上、好ましくは４０ｍｇ以上含有すること；
（３）大豆粕成分の実質的に全てに脱皮大豆粕を使用すること；
（４）粗繊維を２．５重量％以下、好ましくは２．３重量％以下、粗脂肪を６．５重量％以下、好ましくは６．４重量％以下、及び、可溶性無窒素物を５４重量％以上含むこと；
（５）アルファルファミールを０．５〜１重量％、好ましくは約０．８重量％含有すること；
（６）ヘム鉄を鉄成分換算で２０ｍｇ以上、好ましくは２８ｍｇ以上含有すること；及び
（７）比重が７１０以上、好ましくは７４０以上であること。
【００１９】
本発明の具体的態様として、上記特性の２つ以上を有する家畜用飼料、例えば、上記特性（１）、（２）及び（３）を有する家畜用飼料、上記特性（１）、（２）及び（４）を有する家畜用飼料、並びに、上記特性（１）、（２）及び（７）を有する家畜用飼料を挙げることが出来る。
【００２０】
本発明の飼料は、家禽、特に鶏、中でもブロイラー用として好適であるが、その他のウズラ、アヒル、豚、及び牛等の家畜用の飼料としても使用することが出来る。尚、ブロイラー用飼料としては、以上の７つの性質を全て備えていることが好ましい。
【００２１】
【発明の実施の形態】
マンガン
マンガンは各種消化酵素の機能を高め、骨、関節、靭帯等を強化する働きがある。通常の飼料においては、飼料１ｋｇ当たり、マンガンを５５ｍｇ（日本飼養標準・家禽に記載の「養分要求量表（ブロイラー）」：以後、単に「標準表」と呼ぶ））〜１００ｍｇ（株式会社日本チャンキーが編集しているブロイラー管理マニュアル：以後、単に「標準マニュアル」と呼ぶ）含有されているのに対し、本発明の飼料では、１２０ｍｇ以上、好ましくは１４０ｍｇ以上と、通常の約２〜２．５倍程度含有することが好ましい。マンガン成分の原材料は、炭酸マンガン又はセトマンガン等の当業者に公知の任意の物質で良い。
【００２２】
尚、飼料中のマンガンの含有量は、当業者に公知の通常の測定方法、例えば、原子吸光度法によって測定することが出来る。
【００２３】
パントテン酸
パントテン酸はビタミンＢ群に属する水溶性ビタミンの一種でありコエンザイムＡの構成成分である。パントテン酸は、炭水化物、脂肪、アミノ酸の代謝、ステロイド合成などに重要な働きをしている。また、皮膚や羽毛の成長に関与し、腸内微生物の増殖を高める働きがある。免疫機能を高め、鶏冠などの血色に関与する。そして、ビタミンＣやＤとならび、無機質のものを消化させる能力がある。標準表では、飼料１ｋｇ当たり、前期９．８　ｍｇ、後期６．８　ｍｇ、又、標準マニュアルでは１８〜２０ｍｇとされている。本発明の飼料の場合、１ｋｇあたり３０ｍｇ以上、好ましくは４０ｍｇ以上含有していることが好ましい。
【００２４】
尚、飼料中のパントテン酸の含有量は、当業者に公知の通常の測定方法、例えば、Ｌａｃｔｏｂａｃｉｌｌｕｓ　ｐｌａｎｔａｒｕｍ　ＡＴＣＣ　８０１４　等の微生物を用いる微生物定量法によって測定することが出来る。
【００２５】
脱皮大豆粕
本発明の飼料においては、大豆粕成分の実質的に全てに脱皮大豆粕を使用することが好ましい。脱皮大豆粕の種類に特に制限はなく、市販されている任意のものを使用することが出来る。例えば、昭和産業の銘柄名「ハイプロ大豆（粕）」を例として挙げることが出来る。ここで、「実質的に全て」とは、以下に示すような効果が得られる限り、意図せずに通常の大豆粕が少量混入しているような場合等も許容するということである。
【００２６】
通常の大豆粕に含まれる粗蛋白質の含量は約４６％なのに対して、脱皮大豆粕含まれる粗蛋白質の含量は約５１％と１割程度高いことが特徴である。従って、本発明の飼料においては、大豆粕成分の実質的に全てに脱皮大豆粕を使用することによって、同程度の蛋白質量含量を確保する為に必要な大豆粕の量を約１割減らすことが出来る。その結果、本発明の飼料においては、脱皮大豆粕の含有量は、約１８〜２２重量％の範囲である。
【００２７】
更に、本発明の飼料においては、このように大豆粕の含有量を減らした分だけ飼料の主原料である穀類（とうもろこし、マイロなど）の含有量を従来のものに較べて多くすることが出来、具体的には、約６０〜７０重量％程度まで増やすことが出来る。その結果、穀類に多く含まれる可溶無窒素物（デンプン質）の含量が、一般的なブロイラー用飼料においては高々約５２重量％程度であるのに対して、本発明の飼料では可溶無窒素物（デンプン質）は約５４重量％以上含有されたものとなる。
【００２８】
一般的には、カロリーを上げるには、脂肪を添加することが常識となっている。すなわち、高脂肪＝高カロリーとなる。ところが、脂肪の消化吸収率は８４％程度である。従って、高脂肪の飼料では、腸内滞留時間が長い為に胃腸に負担がかかり、摂取量が低下してしまう。このように、高脂肪の飼料では食下率が落ち、その結果、摂取される栄養分が不足となる。例えば、通常の飼料に対し、単にカロリー＝脂肪を５％高く設定したとしても、食下量で半分の、２．５％程落ちることが予想される。又、鳥類は空を飛ぶ構造の為に腸が短い。従って、必然的に繊維を嫌う性質があり、摂取したとしても、熱加工処理をした繊維であっても７４％程度しか消化・吸収されない。従って、繊維が多い飼料ほど嗜好性が悪くなる。
【００２９】
因みに、代表的な成分の消化吸収率は、植物タンパク質：７７％〜９２％、動物タンパク質：８８％〜９３％、大豆デンプン：９４％、メイズ（とうもろこし）及びマイロのデンプン：９８％である。
【００３０】
一般的なブロイラー用飼料の場合、普通の大豆粕（ロープロ大豆粕という）を使用している為、繊維が多くなってしまう。各メーカーの保証書などでは、例えば、粗繊維４〜５重量％以下とされているが、日本標準飼料成分表から推定すると、実際には３重量％前後含有されているものと思われる。粗脂肪についても、各メーカーの保証書などでは、例えば、粗脂肪４〜５重量％以上となっているが、実際には７重量％以上ないと飼料１ｋｇ中の代謝エネルギー（ＭＥ）３２５０ｋｃａｌは維持できない。
【００３１】
それに対し、本発明の飼料は、大豆粕成分の実質的に全てに、消化吸収率の高いタンパク含量の高い脱皮大豆粕を使用することによって、消化吸収率の高い可溶無窒素物（デンプン質）を多く含む穀類の含有量を高めることが出来、その結果、消化・吸収の悪い粗繊維及び粗脂肪を、それぞれ２．５　重量％以下、好ましくは２．３重量％以下、及び６．５　重量％以下、好ましくは６．４重量％以下に低下させても育成に必要な同等の代謝エネルギーを維持することに成功した。その結果、本発明の飼料は、食下率及び嗜好性などが向上する。尚、可溶無窒素物、粗繊維及び粗脂肪等の各成分の含有量は、当業者に公知の標準的な方法で測定することが出来る。
【００３２】
アルファルファミール
アルファルファミールはカロリーが１４００ｋｃａｌ、タンパク１７％で、栄養分としては非常に低い為、一般的には嫌われている。その為に、従来のブロイラー用飼料にはアルファルファミールは含有されていない。
【００３３】
本発明の飼料には、アルファルファミールを０．５〜１重量％程度、好ましくは約０．８重量％含有させることが好ましい。アルファルファミールとしては、ルーサンミール（デハイドレーテッド・アルファルファミール）等の通常、市販されているものを使用することが出来る。
【００３４】
ヘム鉄
血液の主成分であるヘモグロビンには、その構成成分であるヘム色素に結合した鉄が含まれており、酸素運搬という重要な役割を担っている。従って、家畜の成長にはこのような鉄分を摂取することは重要である。しかしながら、非ヘム鉄（無機鉄分）を摂取しても、それが体内に吸収されてヘム鉄に変換される割合は高々約３割である。
【００３５】
従って、発明の飼料は、ヘム鉄（ヘモグロビンの成分であるヘムに結合している鉄）を鉄成分換算で２０ｍｇ以上、好ましくは２８ｍｇ以上含有することが好ましい。ヘム鉄の含有量は、飼料に含まれる各原料の量から上記の日本標準飼料成分表を参照して算出することが出来る。
【００３６】
上記のように、ヘム鉄は赤血球のヘモグロビン構成成分として含有されているので、動物性飼料中の実質的に全ての鉄分はヘム鉄として含まれている。従って、上記の好ましい量のヘム鉄を含有させるには、動物性飼料、例えば、魚粉を１．５〜４重量％、及びチキンミールを４〜６重量％程度使用することが好ましい。
【００３７】
比重
本発明の飼料は比重が７１０以上、好ましくは７４０以上であることが好ましい。尚、比重は当業者に公知の適当な方法で測定することが出来る。
【００３８】
動物はすべて、餌を食する時には、重量で満腹感を感知するのではなく、量積で満腹感を感知する。特に鶏は、胃腸が小さいため、比重のある餌が増体に直結する。従って、ブロイラーも、飼料の比重が大きいほど、各栄養分を多く取り入れることが可能となる。
【００３９】
尚、粒子についても、雛はクチバシでついばむので、ついばみやすい大きさ、粒度、比率などが、重要となる。
【００４０】
本発明の飼料においては、主に、大豆粕成分の実質的に全てに脱皮大豆粕を使用することによって、上記の好ましい範囲の比重にすることが可能である。
【００４１】
以下の表１に、各原料、本発明の飼料（石井ブロイラー２号、石井ブロイラー３号、石井ブロイラー休薬）、及び従来のブロイラー用飼料の比重表を示す。
【００４２】
【表１】
2004113106.tif 000002
【００４３】
本発明の飼料中のその他の成分、例えば、タンパク質、デンプン質、ビタミン、ミネラルなどは、日本標準飼料成分表に基づき適宜配合することが出来る。又、本発明の飼料には、必要に応じて、抗生物質、合成抗菌物質、抗酸化物質、及びカビ抑制剤等の各種資料添加物を適宜含有させることが出来る。
【００４４】
又、本発明の飼料の形態にも特に制限はなく、ペレット及びクランブル等の当業者に公知の任意の形態とすることが出来る。
【００４５】
本発明の飼料を使用した家畜飼育をする際には、飼料の給与方法、給水方法、その他の飼育条件及び飼育施設等に特に制限はなく、当業者に公知の任意の方法を用いることが出来る。
【００４６】
例えば、ブロイラーの飼育法としては、ウィンドレス鶏舎で下面給温式が全国的にも大半を占めている。ウィンドレス鶏舎については、文字通り窓のない鶏舎で、空気の入れ替えは、換気扇でインバーターやサーモなどを使い、ほとんど自動換気である。下面給温式とは、ボイラーで６０度から７０度のお湯を発生させ、床面にパイプを配管し、循環ポンプで、お湯を循環させ給温する。光については、昼夜連続照明法が採用されている。又、機械により、自動給水、自動給餌をする。このような方式は、育雛に手がかからず、火災の危険が少ない。
【００４７】
以下、ブロイラーの場合を用いて本発明を説明する。この実施例はあくまで本発明の一実施例であり、本発明の技術的範囲は本実施例に何等拘束されるものではない。
【００４８】
【実施例】
本実施例におけるブロイラの飼育は、一般的なウィンドレス鶏舎で下面給温式で行った。尚、飼育密度については、坪当たり５０羽から６０羽で、かなりの過密状態でのデーターである。６０羽の場合は、体重１．８ｋｇ程度の中雛時代に、坪当り１０羽程度、中抜き販売し、残りの５０羽を大雛として、体重３ｋｇ〜３．３ｋｇ程度にし、生鳥として各処理場に販売する。尚、体重については、鶏舎体重と販売体重とがある。
【００４９】
今回の実施例のデーターは約１２万羽を６つのロット（餌付け時期）に分けて飼育した結果得られたものである。ブロイラーの種類としては、チャンキー種（ロス３０８）を用いて、株式会社日本チャンキーが編集しているブロイラー管理マニュアルに基づき飼育した。従って、比較例には同マニュアルに記載された飼料成分に基づいた飼料を用いた。
【００５０】
ブロイラーの餌付けから一週間は、人間の乳児期に値し、８日頃より離乳期に入り、８日〜２０日雛頃までが幼児期で、ブロイラーの場合ここまでを前期という。２１日頃から後期となり、大人用の餌を食する。出荷一週間前からは、仕上げ用、休薬飼料を使用する。
【００５１】
ブロイラーの飼育における給与飼料全体の約８０％を占める後期用の飼料（例えば、以下に示す石井ブロイラー３号及び休薬飼料）として好適な成分割合は、デンプン質を５４．３重量％、タンパク質を約１８．６重量％（デンプン質の約１／３）、粗脂肪を約６．４重量％（タンパク質の約１／３）、及び、粗繊維を約２．３重量％（粗脂肪の約１／３）である。
【００５２】
飼料の具体的な使用方法
（１）０日目〜７日目まで、石井ブロイラー１号：
成分的には、石井ブロイラー２号とまったく同じであるがエクスバンダー加工したものである。エクスバンダー加工とは、機械で高い圧力をかけ、餌の分子を砕き、デンプン質などをα加工したものである。
【００５３】
（２）８日目〜２０日目まで、石井ブロイラー２号：
一般的にも、２０日までを前期の餌として、タンパク質２２％以上、カロリー３０５０ｋｃａｌのものを使用する。この前期と言われる時期は、人間で言えば、１才半にあたる。
【００５４】
（３）２１日目〜４０日目位まで、石井ブロイラー３号：
２１日目以降は、大人のような餌、すなわち後期の餌となる。成分は、タンパク質１８％、カロリー３１５０〜３２５０ｋｃａｌが一般的である。
【００５５】
（４）４０日目位以降、休薬飼料：
４０日目位以降は休薬飼料を与える。成分的には、３号とほぼ同じである。
【００５６】
尚、本発明の飼料である石井ブロイラー１号、石井ブロイラー２号及び石井ブロイラー３号、並びに休薬飼料の配合・成分を表２に示す。更に、石井ブロイラー１号及び石井ブロイラー３号のビタミン・ミネラル成分量を表３に示す。尚、これらの各成分の含有量は、当業者に公知の標準的な方法で測定することが出来る。各表中、「％」は特に断わりがない限り、「重量％」を意味する。
【００５７】
【表２】
2004113106.tif 000003
【００５８】
【表３】
2004113106.tif 000004
【００５９】
飼育の結果得られたブロイラーの鶏舎体重（ｇ）の変化を表４に示す。
【００６０】
【表４】
2004113106.tif 000005
【００６１】
尚、各表において、「キンブロ」と記載されている各例は、本発明の飼料である石井ブロイラー１号、２号及び３号を使用して上記のように育成した場合の増体を示す。表中、各ロットから無作為に選んだ２０羽の平均値の中で最大の値を「キンブロ１１１♂（大Ｇ）」（オス）及び「キンブロ１１１♀（大Ｇ）」（メス）で示し、一方、各ロットから無作為に選んだ２０羽の平均値の中で最少の値を「キンブロ１０９♂（小Ｇ）」（オス）及び「キンブロ１０９♀（小Ｇ）」（メス）で示した。更に、この最大値及び最少値の平均値をそれぞれ、「キンブロ１１０♂」及び「キンブロ１１０♀」で示した。
【００６２】
又、チャンキーマニュアルは比較例であり、株式会社日本チャンキーが編集しているブロイラー管理マニュアルに示された飼料を与えられて飼育された場合で、同管理マニュアルの成績目標に記載されたデータである。この成績目標は、あくまで、同管理マニュアルに述べられている良好な管理と適切な栄養下で達成できる目標値であり、平均成績は１０〜２０％低いとされている。
【００６３】
これらの結果から明らかなように、本発明の飼料を使用すると、比較例と比べて、約１０％〜１５％もの体重の増加が見られた。
【００６４】
例えば、飼育中に死亡羽数１％あったとすると、出荷羽数９９％となるが、輸送中の死鳥及び処理場での不合格品は全て廃棄処分されるために、この廃棄処分が１％あったと仮定すると、売上羽数は、９８％となる。従って、このような場合の実行育雛率は、９８％となる。一般的には実行育雛率は９７％程度であるのに対して、本発明の飼料を用いた場合の実行育雛率は平均９８．７％である。
【００６５】
生鳥１ｋｇ生産する時の飼料必要量（ｋｇ）の割合を（飼料）要求率という。例えば、鶏舎中３ｋｇの生鳥の場合に、捕鳥３時間前に給餌器を取り除き、捕鳥カゴに入れた時に、餌切りとして体重が１％減少する。更に、輸送中、例えば、６時間で２％、１２時間では更に２％の目切れ（体重減少）が生じる。その他に、輸送中の死鳥及び処理場での不合格品による廃棄処分（１％）を差し引くと、１２時間の輸送後には６％の目切れとなり、平均体重（実行体重）は鶏舎体重の９４％にあたる２．８２　ｋｇとなってしまう。
【００６６】
一般的には鶏舎体重を基準にした鶏舎中要求率１．９９〜２．０位であるのに対して、本発明の飼料を用いた場合の鶏舎中要求率は平均１．８７である。
【００６７】
このように、本発明の飼料を使用すると、実行育雛率及び（飼料）要求率にも顕著な改善が見られた。
【００６８】
【発明の効果】
本発明の飼料は家畜、特にブロイラー等の鶏用の飼料として有用である。本発明の飼料は、食下率及び嗜好性が向上しており、本発明の飼料を給与することによって、家畜の骨格及び関節などを強固にし、更に、免疫力を高め、成長を著しく促進させることが可能となる。更に、ブロイラー等の実行育雛率及び（飼料）要求率にも顕著な改善が見られる。
【手続補正書】
【提出日】平成15年1月27日(2003.1.27)
【手続補正１】
【補正対象書類名】明細書
【補正対象項目名】特許請求の範囲
【補正方法】変更
【補正の内容】
【特許請求の範囲】
【請求項１】
以下に示す特性を有することを特徴とする家畜用飼料：
（１）飼料１ｋｇ当たり、マンガンを１２０ｍｇ以上含有すること；
（２）飼料１ｋｇ当たり、パントテン酸を３０ｍｇ以上含有すること；及び
（３）大豆粕成分の実質的に全てに脱皮大豆粕を使用すること。
【請求項２】
以下に示す特性を有することを特徴とする家畜用飼料：
（１）飼料１ｋｇ当たり、マンガンを１２０ｍｇ以上含有すること；
（２）飼料１ｋｇ当たり、パントテン酸を３０ｍｇ以上含有すること；及び
（３）粗繊維を２．５重量％以下、粗脂肪を６．５重量％以下、及び、可溶性無窒素物を５４重量％以上含むこと。
【請求項３】
以下に示す特性を有することを特徴とする家畜用飼料：
（１）飼料１ｋｇ当たり、マンガンを１２０ｍｇ以上含有すること；
（２）飼料１ｋｇ当たり、パントテン酸を３０ｍｇ以上含有すること；及び
（３）比重が７１０以上であること。
【請求項４】
以下に示す特性を有することを特徴とする家畜用飼料：
（１）飼料１ｋｇ当たり、マンガンを１２０ｍｇ以上含有すること；
（２）飼料１ｋｇ当たり、パントテン酸を３０ｍｇ以上含有すること；
（３）大豆粕成分の実質的に全てに脱皮大豆粕を使用すること。
（４）粗繊維を２．５重量％以下、粗脂肪を６．５重量％以下、及び、可溶性無窒素物を５４重量％以上含むこと；
（５）アルファルファミールを０．５〜１重量％含有すること；
（６）ヘム鉄を鉄成分換算で２０ｍｇ以上含有すること；及び
（７）比重が７１０以上であること。
【請求項５】
以下に示す特性を有することを特徴とする家畜用飼料：
（１）飼料１ｋｇ当たり、マンガンを１４０ｍｇ以上含有すること；
（２）飼料１ｋｇ当たり、パントテン酸を４０ｍｇ以上含有すること；及び
（３）大豆粕成分の実質的に全てに脱皮大豆粕を使用すること。
【請求項６】
以下に示す特性を有することを特徴とする家畜用飼料：
（１）飼料１ｋｇ当たり、マンガンを１４０ｍｇ以上含有すること；
（２）飼料１ｋｇ当たり、パントテン酸を４０ｍｇ以上含有すること；及び
（３）粗繊維を２．３重量％以下、粗脂肪を６．４重量％以下、及び、可溶性無窒素物を５４重量％以上含むこと。
【請求項７】
以下に示す特性を有することを特徴とする家畜用飼料：
（１）飼料１ｋｇ当たり、マンガンを１４０ｍｇ以上含有すること；
（２）飼料１ｋｇ当たり、パントテン酸を４０ｍｇ以上含有すること；及び
（３）比重が７４０以上であること。
【請求項８】
以下に示す特性を有することを特徴とする家畜用飼料：
（１）飼料１ｋｇ当たり、マンガンを１４０ｍｇ以上含有すること；
（２）飼料１ｋｇ当たり、パントテン酸を４０ｍｇ以上含有すること；
（３）大豆粕成分の実質的に全てに脱皮大豆粕を使用すること；
（４）粗繊維を２．３重量％以下、粗脂肪を６．４重量％以下、及び、可溶性無窒素物を５４重量％以上含むこと；
（５）アルファルファミールを約０．８重量％含有すること；
（６）ヘム鉄を鉄成分換算で２８ｍｇ以上含有すること；及び
（７）比重が７４０以上であること。
【請求項９】
鶏用であることを特徴とする、請求項１〜８のいずれかに記載の家畜用飼料。
【請求項１０】
ブロイラー用であることを特徴とする、請求項１〜８のいずれかに記載の家畜用飼料。